(57)【要約】  配送情報を自動的にプッシュするための方法、端末及びサーバ、及び収集情報を提供するための方法、端末及びサーバが提供され、配送情報を自動的にプッシュするための方法は、配達人の現在の地理的位置及び配送先を取得することと、配送先が、配達人の現在の地理的位置を中心とするジオフェンシング内にあるかどうかを判断することと、配送先が、配達人の現在の地理的位置を中心とするジオフェンシング内にある場合、配送対象顧客に配送情報をプッシュすることとを含む。本出願は、配達人の現在の地理的位置を中心とするジオフェンシングに基づいて対象顧客に配送情報を自動的にプッシュするかどうかを判断し、それにより配送対象顧客は、アイテムを受け取る前に、アイテムに関する関連情報を迅速に通知され、従って、アイテム配送について配達人とのより適時の通信を容易にし、アイテム配送の効率を高める。
2018520406.tif 000002
【特許請求の範囲】
【請求項１】
サーバコンピューティングデバイスが、電気通信ネットワークを介してユーザのコンピューティングデバイスから、前記ユーザのコンピューティングデバイスの現在の地理的位置に基づいて前記ユーザの現在の地理的位置を受信することと、
前記サーバコンピューティングデバイスが前記電気通信ネットワークを介して、配送先の地理的位置を受信することと、
前記サーバコンピューティングデバイスが、前記配送先の地理的位置が、前記ユーザのコンピューティングデバイスの前記現在の地理的位置を中心とするジオフェンシングされたエリア内にあるかどうかを判断することと、
前記サーバコンピューティングデバイスが前記電気通信ネットワークを介して、前記配送先の地理的位置が、前記ユーザのコンピューティングデバイスの前記現在の地理的位置を中心とする前記ジオフェンシングされたエリア内にある場合、配送対象顧客のコンピューティングデバイスに配送情報をプッシュすることと
を備える
方法。
【請求項２】
前記サーバコンピューティングデバイスが、前記電気通信ネットワークを介して前記配送対象顧客のコンピューティングデバイスから、前記配送情報に関する、配送が前記配送対象顧客によって受け入れ可能かどうかを示すフィードバックを受信することと、
前記サーバコンピューティングデバイスが前記電気通信ネットワークを介して、前記ユーザのコンピューティングデバイスのディスプレイ上への表示のための前記フィードバックを転送することとを更に備える、請求項１に記載の方法。
【請求項３】
前記現在の地理的位置を中心とする前記ジオフェンシングされたエリアは、前記ユーザのコンピューティングデバイスの前記現在の地理的位置をその中心とし、特定の距離を半径とする円形及び正多角形のうちの１つである、請求項１又は２に記載の方法。
【請求項４】
前記ユーザのコンピューティングデバイスの前記現在の地理的位置を受信すること、及び前記配送先の地理的位置が、前記現在の地理的位置を中心とする前記ジオフェンシングされたエリア内にあるかどうかを判断することは、一定の間隔で行われる、請求項１から３の何れか一項に記載の方法。
【請求項５】
前記ユーザのコンピューティングデバイスの前記現在の地理的位置を受信すること、及び前記配送先の地理的位置が、前記ユーザのコンピューティングデバイスの前記現在の地理的位置を中心とする前記ジオフェンシングされたエリア内にあるかどうかを判断することは、リアルタイムで行われる、請求項１から４の何れか一項に記載の方法。
【請求項６】
サーバコンピューティングデバイスが電気通信ネットワークを介して第１のユーザのコンピューティングデバイスから、収集されるべきアイテムの現在の地理的位置を取得することと、
前記サーバコンピューティングデバイスが、前記電気通信ネットワークを介して複数の第２のユーザのそれぞれのコンピューティングデバイスから、第２のユーザのコンピューティングデバイスの現在の地理的位置に基づいて前記複数の第２のユーザのそれぞれの地理的位置を取得することと、
前記サーバコンピューティングデバイスが、前記複数の第２のユーザのそれぞれの各第２のユーザのために、前記第２のユーザのコンピューティングデバイスの前記現在の地理的位置を中心とするジオフェンシングされたエリアを決定することと、
前記サーバコンピューティングデバイスが、収集されるべき前記アイテムの前記現在の地理的位置が、少なくとも１人の第２のユーザの決定されたジオフェンシングされたエリア内にあるかどうかを判断することと、
収集されるべき前記アイテムの前記現在の地理的位置が、前記複数の第２のユーザのうちの少なくとも１人の第２のユーザの前記ジオフェンシングされたエリア内にある場合、前記サーバコンピューティングデバイスが、前記電気通信ネットワークを介して前記第１のユーザのコンピューティングデバイスに、前記少なくとも１人の第２のユーザを識別し、前記少なくとも１人の第２のユーザのコンピューティングデバイスのそれぞれの前記現在の地理的位置を含む情報のリストを提供することと
を備える
方法。
【請求項７】
前記コンピューティングデバイスが、前記電気通信ネットワークを介して前記第１のユーザのコンピューティングデバイスから、選択された第２のユーザの選択を示す入力を受信することであって、前記選択された第２のユーザは、前記少なくとも１人の第２のユーザを識別する前記情報のリストから選択される、受信することと、
前記サーバコンピューティングデバイスが、前記電気通信ネットワークを介して前記選択された第２のユーザのコンピューティングデバイスに、収集されるべき前記アイテムに関する情報をプッシュすることであって、収集されるべき前記アイテムに関する前記情報は、収集されるべき前記アイテムの現在の地理的位置と、前記第１のユーザの連絡先情報を含む、プッシュすることとを更に備える、請求項６に記載の方法。
【請求項８】
各第２のユーザの決定されたジオフェンシングされたエリアは、前記第２のユーザのコンピューティングデバイスの前記現在の地理的位置をその中心とし、特定の距離を半径とする円形及び正多角形のうちの１つである、請求項６又は７に記載の方法。
【請求項９】
各第２のユーザのコンピューティングデバイスの前記現在の地理的位置を取得すること、及び収集されるべき前記アイテムが、前記少なくとも１人の第２のユーザの決定されたジオフェンシングされたエリア内にあるかどうかを判断することは、一定の間隔で行われる、請求項６から８の何れか一項に記載の方法。
【請求項１０】
各第２のユーザのコンピューティングデバイスの前記現在の地理的位置を取得すること、及び、収集されるべき前記アイテムが、前記少なくとも１人の配達人の決定されたジオフェンシングされたエリア内にあるかどうかを判断することは、リアルタイムで行われる、請求項６から９の何れか一項に記載の方法。
【請求項１１】
収集されるべき前記アイテムの前記現在の地理的位置が、前記少なくとも１人の第２のユーザの決定されたジオフェンシングされたエリア内にない場合、前記電気通信ネットワークを介してサーバコンピューティングデバイスが、前記電気通信ネットワークを介して前記第１のユーザのコンピューティングデバイスに、前記第１のユーザが待ち続けたいかどうかを示す前記第１のユーザからの入力を要求するクエリを送信することを更に備え、
各第２のユーザのコンピューティングデバイスの前記現在の地理的位置を前記取得すること、及び収集されるべき前記アイテムが、前記少なくとも１人の第２のユーザの決定されたジオフェンシングされたエリア内にあるかどうかを前記判断することは、前記第１のユーザのコンピューティングデバイスから前記第１のユーザが待ち続けたいという応答を受信することを条件とする、
請求項６から１０の何れか一項に記載の方法。
【請求項１２】
前記サーバコンピューティングデバイスが、前記電気通信ネットワークを介して前記第１のユーザのコンピューティングデバイスから、前記複数の第２のユーザの選択に関する少なくとも１つの要求を受信することと、
前記サーバコンピューティングデバイスが、選択に関する少なくとも１つの受信された要求に応じて第２のユーザのセットから前記複数の第２のユーザを選択することとを更に備える、請求項６から１１の何れか一項に記載の方法。
【請求項１３】
第１のユーザのコンピューティングデバイスが前記コンピューティングデバイスの位置決めコンポーネントを使用して、前記第１のユーザのコンピューティングデバイスの現在の地理的位置を取得することと、
前記第１のユーザのコンピューティングデバイスが電気通信ネットワークを介して、前記第１のユーザの前記地理的位置として、前記第１のユーザのコンピューティングデバイスの前記現在の地理的位置を自動的にアップロードすることと、
アイテムが収集される場合、
前記第１のユーザのコンピューティングデバイスが電気通信ネットワークを介して、収集されるべき前記アイテムが前記第１のユーザの現在の地理的位置を中心とするジオフェンシングされたエリア内の地理的位置にある場合、収集されるべき前記アイテムに関する情報を受信することと、
前記第１のユーザのコンピューティングデバイスが、収集されるべき前記アイテムに関する前記受信された情報を表示することと、
アイテムが配送される場合、
前記第１のユーザのコンピューティングデバイスが電気通信ネットワークを介して、配送されるべき前記アイテムに関する配送先の地理的位置が、前記第１のユーザの現在の地理的位置を中心とする前記ジオフェンシングされたエリア内にある場合、配送が第２のユーザによって受け入れ可能かどうかを示すフィードバックを含む情報を受信することと、
前記第１のユーザのコンピューティングデバイスが、配送が受け入れ可能かどうかを示すフィードバックを含む前記受信された情報を表示することと
を備える、
方法。
【請求項１４】
前記第１のユーザのコンピューティングデバイスの前記現在の地理的位置を中心とする前記ジオフェンシングされたエリアは、前記第１のユーザのコンピューティングデバイスの前記現在の地理的位置をその中心とし、特定の距離を半径とする円形及び正多角形のうちの１つである、請求項１３に記載の方法。
【請求項１５】
前記第１のユーザのコンピューティングデバイスの前記現在の地理的位置は、定期的に及びリアルタイムでのうちの１つで自動的に更新される、請求項１３又は１４に記載の方法。
【請求項１６】
アイテムが収集される場合、
第１のユーザのコンピューティングデバイスが電気通信ネットワークを介して、収集されるべき前記アイテムの地理的位置をアップロードすることと、
前記第１のユーザのコンピューティングデバイスが前記電気通信ネットワークを介して、収集されるべきアイテムの地理的位置が、第２のユーザのコンピューティングデバイスの地理的位置に基づく複数の第２のユーザのそれぞれの各第２のユーザに関するジオフェンシングされたエリアである、少なくとも１人の第２のユーザのジオフェンシングされたエリア内にある場合、前記複数の第２のユーザのうちの前記少なくとも１人の第２のユーザを識別する情報のリストを受信することであって、前記情報のリストは、前記少なくとも１人の第２のユーザのそれぞれの前記地理的位置を含む、受信することと
前記第１のユーザのコンピューティングデバイスが、前記情報のリストを表示することと、
アイテムが配送される場合、
前記第１のユーザのコンピューティングデバイスが前記電気通信ネットワークを介して、前記アイテムの配送先に関する配送先の地理的位置が、前記アイテムを配送する第２のユーザのコンピューティングデバイスの現在の地理的位置を中心とするジオフェンシングされたエリア内にある場合、配送情報を受信することと、
前記第１のユーザのコンピューティングデバイスが、前記受信された配送情報を表示することと
を備える
方法。
【請求項１７】
前記第１のユーザのコンピューティングデバイスが前記第１のユーザから、前記配送情報に関する、前記アイテムの前記配送が前記第１のユーザに受け入れ可能かどうかを示すフィードバックを受信することと、
前記第１のユーザのコンピューティングデバイスが前記電気通信ネットワークを介して、前記受信されたフィードバックをアップロードすることとを更に備える、請求項１６に記載の方法。
【請求項１８】
前記受信されたフィードバックは、配送のスケジューリングされた時間が前記第１のユーザに受け入れ可能でない場合、前記アイテムの前記配送に関する代替時間を備える、請求項１７に記載の方法。
【請求項１９】
前記第１のユーザのコンピューティングデバイスが前記第１のユーザから、前記第１のユーザによる、前記受信された情報のリストから選択された第２のユーザの選択を示す入力を受信することと、
前記第１のユーザのコンピューティングデバイスが前記電気通信ネットワークを介して、前記第１のユーザの選択をアップロードすることとを更に備える、請求項１６に記載の方法。
【請求項２０】
前記第１のユーザのコンピューティングデバイスが、収集されるべき前記アイテムの前記地理的位置が、少なくとも１人の第２のユーザの前記ジオフェンシングされたエリア内にない場合、待ち続けるかどうかの前記第１のユーザからの入力を要求するクエリを表示することと、
前記第１のユーザのコンピューティングデバイスが前記第１のユーザから、前記第１のユーザが待ち続けたいということを示す応答が受信される場合、前記第１のユーザのコンピューティングデバイスが、収集されるべき前記アイテムの前記地理的位置が、少なくとも１人の第２のユーザの前記ジオフェンシングされたエリア内にくると決定される場合、前記少なくとも１人の第２のユーザを識別する前記情報のリストを受信すること及び表示することとを更に備える、請求項１６に記載の方法。
【請求項２１】
前記第１のユーザのコンピューティングデバイスが、前記第１のユーザが第２のユーザ選択操作における使用のための少なくとも１つの要求を入力するプロンプトを表示することと、
前記第１のユーザのコンピューティングデバイスが、前記第２のユーザ選択操作に関する前記少なくとも１つの要求を含む前記第１のユーザの入力を受信することと、
前記第１のユーザのコンピューティングデバイスが前記電気通信ネットワークを介して、前記第２のユーザ選択操作における使用のための前記少なくとも１つの要求を含む前記第１のユーザの入力をアップロードすることであって、前記第２のユーザ選択操作における使用のための前記少なくとも１つの受信された要求に従って、前記複数の第２のユーザが第２のユーザのセットから選択される、アップロードすることとを更に備える、請求項１６に記載の方法。
【請求項２２】
プロセッサと、
前記プロセッサによる実行のためにプログラムロジックをそこに有形に記憶するための非一時的コンピュータ可読記憶媒体であって、前記プログラムロジックは、
電気通信ネットワークを介してユーザのコンピューティングデバイスから、前記ユーザのコンピューティングデバイスの現在の地理的位置に基づいて前記ユーザの現在の地理的位置を取得し、前記電気通信ネットワークを介して、配送先の地理的位置を取得するために前記プロセッサによって実行される取得ロジックと、
前記配送先の地理的位置が、前記ユーザのコンピューティングデバイスの前記現在の地理的位置を中心とするジオフェンシングされたエリア内にあるかどうかを判断するために前記プロセッサによって実行される判断ロジックと、
電気通信ネットワークを介して、前記配送先の地理的位置が、前記ユーザのコンピューティングデバイスの前記現在の地理的位置を中心とするジオフェンシングされたエリア内にある場合、配送情報を配送対象顧客のコンピューティングデバイスにプッシュするために前記プロセッサによって実行されるプッシュロジックと
を含む、非一時的コンピュータ可読記憶媒体と
を備える
サーバ。
【請求項２３】
前記記憶されたプログラムロジックは、
前記電気通信ネットワークを介して前記配送対象顧客のコンピューティングデバイスから、前記配送情報に関する、配送が前記配送対象顧客によって受け入れ可能かどうかを示すフィードバックを受信するために前記プロセッサによって実行される受信ロジックと、
前記電気通信ネットワークを介して、前記ユーザのコンピューティングデバイスに前記フィードバックを転送するために前記プロセッサによって実行される転送ロジックとを更に含む、請求項２２に記載のサーバ。
【請求項２４】
前記ユーザのコンピューティングデバイスの前記現在の地理的位置を中心とする前記ジオフェンシングされたエリアは、前記ユーザのコンピューティングデバイスの前記現在の地理的位置をその中心とし、特定の距離を半径とする円形及び正多角形のうちの１つである、請求項２２に記載のサーバ。
【請求項２５】
前記取得ロジックは、前記ユーザのコンピューティングデバイスの前記現在の地理的位置を定期的な取得を得るために前記プロセッサによって実行され、
前記判断ロジックは、前記配送先の地理的位置が、前記ユーザのコンピューティングデバイスの前記現在の地理的位置を中心とする前記ジオフェンシングされたエリア内にあるかどうかを定期的に判断することを決定するために前記プロセッサによって実行される、
請求項２２に記載のサーバ。
【請求項２６】
前記取得ロジックは、リアルタイムで、前記ユーザのコンピューティングデバイスの前記現在の地理的位置を取得することを取得するために前記プロセッサによって実行され、
前記判断ロジックは、リアルタイムで、前記配送先の地理的位置が、前記ユーザのコンピューティングデバイスの前記現在の地理的位置を中心とする前記ジオフェンシングされたエリア内にあるかどうかを判断するために前記プロセッサによって実行される、
請求項２２に記載のサーバ。
【請求項２７】
プロセッサと、
前記プロセッサによる実行のためにプログラムロジックをそこに有形に記憶するための非一時的コンピュータ可読記憶媒体であって、前記プログラムロジックは、
電気通信ネットワークを介して第１のユーザのコンピューティングデバイスから、収集されるべきアイテムの現在の地理的位置を取得し、前記電気通信ネットワークを介して複数の第２のユーザのそれぞれのコンピューティングデバイスから、各第２のユーザのコンピューティングデバイスの現在の地理的位置を取得するために前記プロセッサによって実行される取得ロジックと、
収集されるべき前記アイテムの前記現在の地理的位置が、少なくとも１人の第２のユーザのジオフェンシングされたエリア内にあるかどうかを、前記複数の第２のユーザのそれぞれの各第２のユーザのために判断するために前記プロセッサによって実行される判断ロジックであって、各第２のユーザのジオフェンシングされたエリアは、前記第２のユーザのコンピューティングデバイスの前記現在の地理的位置を中心とする、判断ロジックと、
前記電気通信ネットワークを介して第１のユーザのコンピューティングデバイスに、収集されるべき前記アイテムの前記現在の地理的位置が、前記少なくとも１人の第２のユーザのジオフェンシングされたエリア内にある場合、前記少なくとも１人の第２のユーザのそれぞれの前記コンピューティングデバイスの前記現在の地理的位置を含む、前記少なくとも１人の第２のユーザを識別する情報のリストを提供するために前記プロセッサによって実行される提供ロジックと
を含む、非一時的コンピュータ可読記憶媒体と
を備える
サーバ。
【請求項２８】
前記記憶されたプログラムロジックは、
前記電気通信ネットワークを介して前記第１のユーザのコンピューティングデバイスから、選択された第２のユーザの選択を示す入力を受信するために前記プロセッサによって実行される受信ロジックであって、前記選択された第２のユーザは、前記少なくとも１人の第２のユーザを識別する前記情報のリストから選択される、受信ロジックと、
前記第２のユーザのコンピューティングデバイスに、収集されるべき前記アイテムに関する情報をプッシュするために前記プロセッサによって実行されるプッシュロジックであって、収集されるべき前記アイテムに関する前記情報は、収集されるべき前記アイテムの現在の地理的位置と、前記第１のユーザの連絡先情報を含む、プッシュロジックとを更に備える、請求項２７に記載のサーバ。
【請求項２９】
各第２のユーザの決定されたジオフェンシングされたエリアは、前記第２のユーザのコンピューティングデバイスの前記現在の地理的位置をその中心とし、特定の距離を半径とする円形及び正多角形のうちの１つである、請求項２７又は２８に記載のサーバ。
【請求項３０】
前記取得ロジックは、収集されるべき前記アイテムの前記現在の地理的位置、及び前記複数の第２のユーザのうちの各第２のユーザの前記コンピューティングデバイスの前記現在の地理的位置を定期的に取得することを取得するために前記プロセッサによって実行され、
前記判断ロジックは、収集されるべき前記アイテムの前記現在の地理的位置が、少なくとも１人の第２のユーザの前記ジオフェンシングされたエリア内にあるかどうかを定期的に判断することを決定するために前記プロセッサによって実行される、
請求項２７から２９の何れか一項に記載のサーバ。
【請求項３１】
前記取得ロジックは、リアルタイムで、収集されるべき前記アイテムの前記現在の地理的位置、及び前記複数の第２のユーザのうちの各第２のユーザの前記コンピューティングデバイスの前記現在の地理的位置を取得することを取得するために前記プロセッサによって実行され、
前記判断ロジックは、リアルタイムで、収集されるべき前記アイテムの前記現在の地理的位置が、前記少なくとも１人の第２のユーザの前記ジオフェンシングされたエリア内にあるかどうかを判断するために前記プロセッサによって実行される、
請求項２７から３０の何れか一項に記載のサーバ。
【請求項３２】
前記記憶されたプログラムロジックは、
前記電気通信ネットワークを介して、前記第１のユーザのコンピューティングデバイスにクエリを送信するために前記プロセッサによって実行される送信ロジックであって、前記クエリは、収集されるべき前記アイテムの前記現在の地理的位置が、少なくとも１人の第２のユーザの前記ジオフェンシングされたエリア内にない場合、前記第１のユーザが待ち続けたいかどうかを示す前記第１のユーザからの入力を要求する、送信ロジックと、
前記第１のユーザのコンピューティングデバイスから前記電気通信ネットワークを介して、前記第１のユーザが待ち続けたいかどうかを示す応答を受信するために前記プロセッサによって実行される受信ロジックと、
収集されるべき前記アイテムの前記現在の地理的位置を取得するために前記プロセッサによって実行される前記取得ロジックと、前記複数の第２のユーザのうちの各第２のユーザの前記コンピューティングデバイスの前記現在の地理的位置を取得するために前記プロセッサによって実行される前記取得ロジックとは、前記第１のユーザが待ち続けたいということを示す前記第１のユーザの応答を条件とする、前記取得ロジックと、
収集されるべき前記アイテムの前記現在の地理的位置が、前記少なくとも１人の第２のユーザのジオフェンシングされたエリア内にあるかどうかを判断するために前記プロセッサによって実行される前記判断ロジックは、前記第１のユーザが待ち続けたいということを示す前記第１のユーザの応答を条件とする、前記判断ロジックとを更に含む、請求項２７から３１の何れか一項に記載のサーバ。
【請求項３３】
前記記憶されたプログラムロジックは、
前記第１のユーザのコンピューティングデバイスから前記電気通信ネットワークを介して、第２のユーザ選択操作における使用のための要求を受信するために前記プロセッサによって実行される受信ロジックであって、前記複数の第２のユーザは、前記受信された要求に従って第２のユーザのセットから選択される、受信ロジックを更に含む、請求項２７から３２の何れか一項に記載のサーバ。
【請求項３４】
位置決めコンポーネントと、
プロセッサと、
前記プロセッサによる実行のためにプログラムロジックをそこに有形に記憶するための非一時的コンピュータ可読記憶媒体であって、前記プログラムロジックは、
電気通信ネットワークを介して、前記位置決めコンポーネントを使用して決定された端末の現在の地理的位置を自動的にアップロードするために前記プロセッサによって実行されるアップロードロジックと、
アイテムが収集される場合、
電気通信ネットワークを介して、収集されるべき前記アイテムが前記端末の前記現在の地理的位置を中心とするジオフェンシングされたエリア内の地理的位置にある場合、収集されるべき前記アイテムに関する情報を受信するために前記プロセッサによって実行される受信ロジックと、
収集されるべき前記アイテムに関する前記受信された情報を表示するために前記プロセッサによって実行される表示ロジックと、
アイテムが配送される場合、
電気通信ネットワークを介して、配送されるべき前記アイテムに関する配送先の地理的位置が、前記端末の前記現在の地理的位置を中心とする前記ジオフェンシングされたエリア内にある場合、配送がユーザによって受け入れ可能かどうかを示すフィードバックを含む情報を受信するために前記プロセッサによって実行される受信ロジックと、
配送が受け入れ可能かどうかを示すフィードバックを含む前記受信された情報を表示するために前記プロセッサによって実行される表示ロジックと
を含む、非一時的コンピュータ可読記憶媒体と
を備える
端末。
【請求項３５】
前記端末の前記現在の地理的位置を中心とする前記ジオフェンシングされたエリアは、前記端末の前記現在の地理的位置をその中心とし、特定の距離を半径とする円形及び正多角形のうちの１つである、請求項３４に記載の端末。
【請求項３６】
前記端末の前記現在の地理的位置は、定期的に及びリアルタイムでのうちの１つで自動的に更新される、請求項３５に記載の端末。
【請求項３７】
プロセッサと、
前記プロセッサによる実行のためにプログラムロジックをそこに有形に記憶するための非一時的コンピュータ可読記憶媒体であって、前記プログラムロジックは、
アイテムが収集される場合、
電気通信ネットワークを介して、収集されるべき前記アイテムの地理的位置をアップロードするために前記プロセッサによって実行されるアップロードロジックと、
電気通信ネットワークを介して、収集されるべき前記アイテムの前記地理的位置が、少なくとも１人の第２のユーザのジオフェンシングされたエリア内にある場合、複数の第２のユーザのうちの前記少なくとも１人の第２のユーザを識別する情報のリストを受信するために前記プロセッサによって実行される受信ロジックであって、前記情報のリストは、前記少なくとも１人の第２のユーザのそれぞれの前記地理的位置を含む、受信ロジックと、
前記受信された情報のリストを表示するために前記プロセッサによって実行される表示ロジックと、
アイテムが配送される場合、
前記電気通信ネットワークを介して、配送されるべき前記アイテムに関する配送先の地理的位置が、前記アイテムを配送する第２のユーザのコンピューティングデバイスの現在の地理的位置を中心とするジオフェンシングされたエリア内にある場合、配送情報を受信するために前記プロセッサによって実行される受信ロジックと、
前記受信された配送情報を表示するために前記プロセッサによって実行される表示ロジックと
を含む、非一時的コンピュータ可読記憶媒体と
を備える
端末。
【請求項３８】
前記記憶されたプログラムロジックは、
第１のユーザから、前記配送情報に関する、前記アイテムの前記配送が前記第１のユーザに受け入れ可能かどうかを示すフィードバックを受信するために前記プロセッサによって実行される受信ロジックと、
前記電気通信ネットワークを介して、前記受信されたフィードバックをアップロードするために前記プロセッサによって実行されるアップロードロジックとを更に含む、請求項３７に記載の端末。
【請求項３９】
前記受信されたフィードバックは、配送のスケジューリングされた時間が前記第１のユーザに受け入れ可能でない場合、前記アイテムの前記配送に関する代替時間を備える、請求項３８に記載の端末。
【請求項４０】
前記記憶されたプログラムロジックは、
前記第１のユーザから、前記第１のユーザによる、前記受信された情報のリストから選択された第２のユーザの選択を示す入力を受信するために前記プロセッサによって実行される受信ロジックと、
前記電気通信ネットワークを介して、前記受信された選択をアップロードするために前記プロセッサによって実行されるアップロードロジックとを更に含む、請求項３８に記載の端末。
【請求項４１】
前記記憶されたプログラムロジックは、
収集されるべき前記アイテムの前記地理的位置が、少なくとも１人の第２のユーザの前記ジオフェンシングされたエリア内にない場合、前記第１のユーザが待ち続けたいかどうかの前記第１のユーザからの入力を要求するクエリを表示するために前記プロセッサによって実行される表示ロジックと、
前記第１のユーザが待ち続けたいということを示す応答が前記第１のユーザから受信される場合、収集されるべき前記アイテムの前記地理的位置が、少なくとも１人の第２のユーザの前記ジオフェンシングされたエリア内にくると決定される場合、前記少なくとも１人の第２のユーザの前記情報のリストを受信及び表示するために前記プロセッサによって実行される前記受信及び表示ロジックとを更に含む、請求項３８に記載の端末。
【請求項４２】
前記記憶されたプログラムロジックは、
前記第１のユーザに第２のユーザ選択操作における使用のための少なくとも１つの要求を入力するよう促すためのプロンプトを表示するために前記プロセッサによって実行される表示ロジックと、
前記第２のユーザ選択操作における使用のための前記少なくとも１つの要求を含む前記第１のユーザの入力を、前記第１のユーザから受信し、前記電気通信ネットワークを介してアップロードするために前記プロセッサによって実行されるロジックであって、前記第２のユーザ選択操作における使用のための前記少なくとも１つの受信された要求に従って、前記複数の第２のユーザは第２のユーザのセットから選択される、ロジックとを更に含む、請求項３８に記載の端末。
【発明の詳細な説明】
【技術分野】
【０００１】
［関連出願の相互参照］
本出願は、２０１５年６月２３日に出願された、「Ｍｅｔｈｏｄ，  Ｔｅｒｍｉｎａｌ  Ａｎｄ  Ｓｅｒｖｅｒ  ｆｏｒ  Ａｕｔｏｍａｔｉｃａｌｌｙ  Ｐｕｓｈｉｎｇ  Ｄｅｌｉｖｅｒｙ  Ｉｎｆｏｒｍａｔｉｏｎ  Ａｎｄ  Ｐｒｏｖｉｄｉｎｇ  Ｃｏｌｌｅｃｔｉｏｎ  Ｉｎｆｏｒｍａｔｉｏｎ」と題する中国特許出願第２０１５１０３５１２３５号の利益を主張し、その全体は本明細書において参照によって組み込まれるものとする。 
【背景技術】
【０００２】
本出願は、物流情報の分野に関し、特に、配送情報を自動的にプッシュし、収集情報を提供するための方法、端末及びサーバに関する。
【０００３】
従来のアイテム配布においては、対象顧客に配布通知を送る事象は、配達人の個人的な行動に主として依存する。事前に対象顧客に通知することなく配送先に直接行くことに慣れている配達人もいる。このことは、対象顧客が配送先にいないという事実に起因して、配送の失敗を容易にもたらし得る。事前に、対象顧客に、配送先から非常に遠い位置であり得る、配達人の位置から、顧客のためにアイテムを集荷する将来の時間を通知することに慣れている配達人もいる。しかしながら、対象顧客は、配達人の所在又は配達人が配送先に対してどれくらい近くにいるかを知らない。加えて、対象顧客は、配達人の到着前に何らかの理由で家屋を離れる必要がある場合がある。顧客が配送先からの配達人の現在の距離を決定するために、配達人と顧客との間の更なる通信が必要とされる。アイテムを集荷することがまだ可能かどうかに関して、再確認が必要とされる場合もある。このことは、物流流通に関する通信コストを増やすだけではなく、配送効率にも影響を与える。
【０００４】
従来のアイテム収集においては、収集されるべきアイテムをもつ送り主からの収集要求を受信する事象も、配達人の個人的な行動に依存する。一般的に、送り主は、特定の企業の配達人に能動的に連絡を取る、又は収集のために配達人を指名する。配達人が、アイテムの送り主から非常に遠くにいる可能性があり、配達人は、アイテムを収集するために収集サイトに急ぐ必要がある。このことは、収集効率に明らかに影響を与え、配達人の時間及び輸送コストを増やす。
【発明の概要】
【０００５】
本開示は、当技術分野における欠陥に対処し、アイテムの配送又は収集の効率を高めることを追求する。
【０００６】
本出願の１つの実施形態によると、配送情報を自動的にプッシュするための方法が提供される。方法は、コンピューティングデバイスが、配達人の現在の地理的位置及び配送先を取得することと、コンピューティングデバイスが、配送先が配達人の現在の地理的位置を中心とするジオフェンシング内にあるかどうかを判断することと、コンピューティングデバイスが、配送先が配達人の現在の地理的位置を中心とするジオフェンシング内にある場合、配送対象顧客に配送情報をプッシュすることとを含む。
【０００７】
本開示の少なくとも１つの実施形態によると、配達人の現在の地理的位置を中心とするジオフェンシングを使用して、方法が、対象顧客に配送情報を自動的にプッシュするかどうかを判断する。配送情報は、配送されるべきアイテムがおそらく到着するとき、配送されるべきアイテムの地理的地域、配達人の連絡先、配送されるべきアイテムの注文番号及び／又は詳細なアイテム情報を含み得る。対象顧客は、配送されたアイテムを受け取る前に、関連する配達人情報及び／又は配送されるべきアイテムを迅速に通知され得る。対象顧客は、配送及び配達人についての受信された情報を使用して、その人の活動をフレキシブルに手配し得る。加えて、アイテム配送に関する配達人との通信が改善され、アイテム配送の効率が高められる。
【０００８】
本出願の別の実施形態によると、収集情報を自動的に提供する方法が提供される。方法は、コンピューティングデバイスが、収集されるべきアイテムの現在の地理的位置及び複数の配達人のうちの各配達人の現在の地理的位置を取得することと、コンピューティングデバイスが複数のうちの各配達人のために、配達人の現在の地理的位置を中心とするジオフェンシングを決定することと、コンピューティングデバイスが、収集されるべきアイテムの現在の地理的位置が少なくとも１人の配達人の決定されたジオフェンシング内にあるかどうかを判断することと、収集されるべきアイテムの現在の地理的位置が、複数の配達人のうちの少なくとも１人の配達人を中心とする、少なくとも１人の配達人の決定されたジオフェンシング内にある場合、コンピューティングデバイスが、収集されるべきアイテムの送り主に、少なくとも１人の配達人の、少なくとも１人の配達人のそれぞれの現在の地理的位置を含む情報のリストを提供することとを含む。
【０００９】
本開示の少なくとも１つの実施形態によると、配達人の現在の地理的位置を中心とするジオフェンシングを使用して、方法が、配達人によって収集されるべきアイテムの送り主に、少なくとも１人の配達人の情報のリストを提供するかどうかを判断し、これは、送り主が近くの配達人を使用してアイテムをより迅速に送ることを可能にする。アイテム集荷効率が、著しく高められる。
【００１０】
本出願の別の実施形態によると、配達人情報を管理するための方法が提供される。方法は、コンピューティングデバイスが、配達人の現在の地理的位置を自動的にアップロードすることと、コンピューティングデバイスが収集されるべきアイテムの送り主から、送り主が配達人の現在の地理的位置を中心とするジオフェンシング内の位置にいる場合、収集されるべきアイテムに関する情報を受信することと、コンピューティングデバイスが配送対象顧客から、配送対象顧客の配送先が配達人の現在の地理的位置を中心とするジオフェンシング内にある場合、配送が配送対象顧客によって受け入れ可能かどうかを示すフィードバックを含む情報を受信することと、コンピューティングデバイスが、収集されるべきアイテムに関する受信された情報及び配送が受け入れ可能かどうかを示すフィードバックを含む情報のうちの少なくとも１つを含む受信された情報を表示することとを含む。
【００１１】
少なくとも１つの実施形態によると、方法が、配達人の現在の地理的位置を自動的にアップロードし、配送対象顧客から配送が配送対象顧客によって受け入れ可能かどうかを示すフィードバックを受信する、及び／又は、配達人の現在の地理的位置を使用して決定されたジオフェンシングに基づいて、収集されるべきアイテムの送り主から収集されるべきアイテムに関する情報を受信する。配達人は、近くの対象顧客に配送されるべきアイテム又はアイテムの送り主に関する関連情報を迅速に通知され得る。従って、対象顧客及び／又はアイテムの送り主に、迅速な配送及び／又は収集サービスが提供され得る。アイテム配送及び収集効率が高められる。
【００１２】
本出願の別の実施形態によると、ユーザ情報を管理するための方法が提供される。方法は、ユーザコンピューティングデバイスが、収集されるべきアイテムの現在の地理的位置をアップロードすることと、コンピューティングデバイスが、アイテムがユーザに配送され、ユーザの位置がアイテムをユーザに配送する配達人の現在の地理的位置を中心とするジオフェンシング内にある場合、配送情報を受信することと、コンピューティングデバイスが、ユーザが収集されるべきアイテムを有し、ユーザの位置が、少なくとも１人の配達人のジオフェンシング内にある場合、複数の配達人のうちの少なくとも１人の配達人の、少なくとも１人の配達人のそれぞれの地理的位置を含む情報のリストを受信することと、ユーザコンピューティングデバイスが、受信された配送情報及び受信された情報のリストのうちの少なくとも１つを表示することとを含む。
【００１３】
少なくとも１つの実施形態によると、方法が、収集されるべきアイテムの現在の地理的位置を自動的にアップロードし、配達人の現在の地理的位置を使用して決定されたジオフェンシングに基づいて、配送情報及び／又は少なくとも１人の配達人の情報のリストを受信する。顧客が、配送されるべきアイテム及び／又は送られるべきアイテムを集荷する配達人に関して迅速に通知されることが可能である。顧客は、アイテム配送及び／又はアイテム集荷をフレキシブルに手配し、アイテム受け取り及び発送を更に容易にすることが可能である。
【００１４】
本出願の別の実施形態によると、配送情報を自動的にプッシュするためのサーバが提供される。サーバは、配達人の現在の地理的位置及び配送先を取得する第１の取得ユニットと、配送先が配達人の現在の地理的位置を中心とするジオフェンシング内にあるかどうかを判断する第１の判断ユニットと、配送先が配達人の現在の地理的位置を中心とするジオフェンシング内にある場合、配送対象顧客に配送情報をプッシュする第１のプッシュユニットとを含む。
【００１５】
本開示の少なくとも１つの実施形態によると、配達人の現在の地理的位置を中心とするジオフェンシングを使用して、サーバコンピュータが、対象顧客に配送情報を自動的にプッシュするかどうかを判断する。配送情報は、配送されるべきアイテムがおそらく到着するとき、配送されるべきアイテムの地理的地域、配達人の連絡先、配送されるべきアイテムの注文番号及び／又は詳細なアイテム情報を含み得る。対象顧客は、配送されたアイテムを受け取る前に、関連する配達人情報及び／又は配送されるべきアイテムを迅速に通知され得る。対象顧客は、配送及び配達人についての受信された情報を使用して、その人の活動をフレキシブルに手配し得る。加えて、アイテム配送に関する配達人との通信が改善され、アイテム配送の効率が高められる。
【００１６】
本出願の別の実施形態によると、収集情報を自動的に提供するサーバが提供される。サーバは、収集されるべきアイテムの現在の地理的位置及び複数の配達人のうちの各配達人の現在の地理的位置を取得する第２の取得ユニットと、複数の各配達人のために、収集されるべきアイテムの現在の地理的位置が少なくとも１人の配達人のジオフェンシング内にあるかどうかを判断する第２の判断ユニットであって、各配達人のジオフェンシングは、配達人の現在の地理的位置を中心とする、第２の判断ユニットと、収集されるべきアイテムの現在の地理的位置が、少なくとも１人の配達人のジオフェンシング内にある場合、収集されるべきアイテムの送り主に、少なくとも１人の配達人の、少なくとも１人の配達人のそれぞれの現在の地理的位置を含む情報のリストを提供する情報提供ユニットとを含む。
【００１７】
本開示の少なくとも１つの実施形態によると、配達人の現在の地理的位置を中心とするジオフェンシングを使用して、サーバが、配達人によって収集されるべきアイテムの送り主に、少なくとも１人の配達人の情報のリストを提供するかどうかを判断し、これは、送り主が近くの配達人を使用してアイテムをより迅速に送ることを可能にする。アイテム集荷効率が、著しく高められる。
【００１８】
本出願の別の実施形態によると、配達人情報を管理するための端末が提供される。端末は、配達人の現在の地理的位置を自動的にアップロードする第１の位置アップロードユニットと、収集されるべきアイテムの送り主から、送り主が配達人の現在の地理的位置を中心とするジオフェンシング内の位置にいる場合、収集されるべきアイテムに関する情報を受信する第１の情報受信ユニットであり、配送対象顧客から、配送対象顧客の配送先が配達人の現在の地理的位置を中心とするジオフェンシング内にある場合、配送が配送対象顧客によって受け入れ可能かどうかを示すフィードバックを含む情報を受信する第１の情報受信ユニットと、収集されるべきアイテムに関する受信された情報及び配送が受け入れ可能かどうかを示すフィードバックを含む情報のうちの少なくとも１つを含む受信された情報を表示する第１の表示ユニットとを含む。
【００１９】
少なくとも１つの実施形態によると、配達人の端末が、配達人の現在の地理的位置を自動的にアップロードし、配送対象顧客から配送が配送対象顧客によって受け入れ可能かどうかを示すフィードバックを受信する、及び／又は、配達人の現在の地理的位置を使用して配達人のために決定されたジオフェンシングに基づいて、収集されるべきアイテムの送り主から収集されるべきアイテムに関する情報を受信する。配達人は、近くの対象顧客に配送されるべきアイテム又はアイテムの送り主に関する関連情報を迅速に通知され得る。従って、対象顧客及び／又はアイテムの送り主に、迅速な配送及び／又は収集サービスが提供され得る。アイテム配送及び収集効率が高められる。
【００２０】
本出願の別の実施形態によると、ユーザ情報を管理するための端末が提供される。端末は、収集されるべきアイテムの現在の地理的位置をアップロードする第２の位置アップロードユニットと、アイテムがユーザに配送され、ユーザの位置がアイテムをユーザに配送する配達人の現在の地理的位置を中心とするジオフェンシング内にある場合、配送情報を受信する第２の情報受信ユニットであり、ユーザが収集されるべきアイテムを有し、ユーザの位置が、少なくとも１人の配達人のジオフェンシング内にある場合、複数の配達人のうちの少なくとも１人の配達人の、少なくとも１人の配達人のそれぞれの地理的位置を含む情報のリストを受信する第２の情報受信ユニットと、受信された配送情報及び受信された情報のリストのうちの少なくとも１つを表示する第２の表示ユニットとを含む。
【００２１】
少なくとも１つの実施形態によると、顧客の端末が、収集されるべきアイテムの現在の地理的位置を自動的にアップロードし、配達人の現在の地理的位置を使用して決定されたジオフェンシングに基づいて、配送情報及び／又は少なくとも１人の配達人の情報のリストを受信する。顧客は、配送されるべきアイテム及び／又は送られるべきアイテムを集荷する配達人に関して迅速に通知されることが可能である。顧客は、アイテム配送及び／又はアイテム集荷をフレキシブルに手配し、アイテム受け取り及び発送を更に容易にすることが可能である。
【図面の簡単な説明】
【００２２】
本出願は、実施形態によって詳細に説明され、それらは、以下で図面を参照して本出願を限定することを意図されず、それらから、本出願の他の特性、目的及び利点がより明らかになる。
【００２３】
【図１】本出願の１つの実施形態による配送情報を自動的にプッシュするための方法１のフロー図である。
【００２４】
【図２】マップインタフェースに表示されるジオフェンシングを図示し、各配達人の現在の地理的位置をその中心とする。
【００２５】
【図３】本出願の別の実施形態による配送情報を自動的にプッシュするための方法１のフロー図である。
【００２６】
【図４】本出願の１つの実施形態による収集情報を自動的に提供する方法２のフロー図である。
【００２７】
【図５】本出願の別の実施形態による収集情報を自動的に提供する方法２のフロー図である。
【００２８】
【図６】本出願の１つの実施形態による配達人情報を管理するための方法３のフロー図である。
【００２９】
【図７】本出願の１つの実施形態によるユーザ情報を管理するための方法４のフロー図である。
【００３０】
【図８】本出願の１つの実施形態による配送情報を自動的にプッシュするためのサーバの概略ブロック図である。
【００３１】
【図９】本出願の１つの実施形態による収集情報を自動的に提供するサーバの概略ブロック図である。
【００３２】
【図１０】本出願の別の実施形態による収集情報を自動的に提供するサーバの概略ブロック図である。
【００３３】
【図１１】本出願の更なる実施形態による収集情報を自動的に提供するサーバの概略ブロック図である。
【００３４】
【図１２】本出願の１つの実施形態による配達人情報を管理するための端末の概略ブロック図である。
【００３５】
【図１３】本出願の１つの実施形態によるユーザ情報を管理するための端末の概略ブロック図である。
【００３６】
図面における同一又は類似の記号は、同一又は類似の部分を表す。
【発明を実施するための形態】
【００３７】
本出願は、図面と組み合わせてより詳細に説明される。
【００３８】
例示的な実施形態を更に詳細に議論する前に、いくつかの例示的な実施形態は、フロー図に示されているような処理又は方法として説明されることが理解されるべきである。フロー図は、各操作を連続的な処理に分割する。しかしながら、多数の操作が並行して又は同時に行われ得る。更に、各操作のシーケンスは、再配置され得る。本明細書で操作が完了されるとき、処理は終了し得る。しかしながら、図面に含まれないいくつかの追加の段階がある場合がある。本明細書の処理は、方法、機能、手順、サブルーチン、サブプログラム等として実装され得る。
【００３９】
この文脈における「コンピュータデバイス」は又、予め設定されたプログラム又は命令セットを実行することによって数値計算及び／又は論理計算を含む予め設定された処理を行うインテリジェントな電子デバイスを指す「コンピュータ」と呼ばれ得る。このデバイスは、プロセッサ及びメモリを含み、プロセッサは、予め設定された処理を行うためにメモリに予め格納されたコマンドを実行する、又はＡＳＩＣ、ＦＰＧＡ、ＤＳＰ等のハードウェアが、コマンドを実行し得る、又は２つの組み合わせが、予め設定された処理を完了するために使用され得る。コンピュータデバイスの例は、サーバ、パーソナルコンピュータ（ＰＣ）、ノートブックＰＣ、タブレットコンピュータ、スマートフォン等を含むが、これらに限定されない。
【００４０】
コンピュータデバイスの例は、ユーザデバイス及びネットワークデバイスを含む。ユーザデバイスの例は、コンピュータ、スマートフォン、ＰＤＡ等を含むが、これらに限定されない。ネットワークデバイスの例は、単一のネットワークサーバ、複数のネットワークサーバ、又はクラウドコンピューティングを提供するよう構成される複数のコンピュータ又はネットワークサーバから成るクラウドを含むが、これらに限定されず、クラウドコンピューティングは、一種の分散されたコンピューティングであり、疎結合コンピュータセットのグループから成るスーパー仮想コンピュータである。本出願は、コンピュータデバイスを使用して実装され得るが、又、ネットワーク上の他のコンピュータデバイスとの対話型の操作によって本出願を実装するためにネットワークに接続され得る。コンピュータデバイスが接続されるネットワークの例は、インターネット、ＷＡＮ、ＭＡＮ、ＬＡＮ、ＶＰＮ等を含むが、これらに限定されない。
【００４１】
ユーザデバイス、ネットワークデバイス及びネットワークが、例示的であり、現在知られている又は今後開発される他のデバイス及びネットワークも又、本出願の範囲内であり、参照により本明細書に含まれることが理解されるべきである。
【００４２】
以下に議論される方法（いくつかの方法はフロー図で示される）は、ハードウェア、ソフトウェア、ファームウェア、ミドルウェア、マイクロコード、ハードウェア記述言語、又はそれらの任意の組み合わせによって実装され得る。ソフトウェア、ファームウェア、ミドルウェア又はマイクロコードによる実装の場合、いくつかのタスク又はコードセグメントを実行するために使用されるプログラムコードは、機械の又はコンピュータの可読媒体（例えば、記憶媒体）に記憶され得る。タスクは、（１又は複数の）プロセッサによって実行され得る。
【００４３】
本明細書で開示されている特定の構造的及び機能的詳細は、代表的なものに過ぎず、本出願の例示的な実施形態を説明することを意図される。しかしながら、本出願は、本出願の代替的な構成によって具体的に利用され得、本出願は、本明細書に記載の実施形態に限定されると解釈されるべきではない。
【００４４】
「第１」及び「第２」等の用語が、各ユニットを説明するために本明細書で使用され得るが、これらのユニットは、これらの用語に限定されないことが理解されるべきである。これらの用語は、１つのユニットを別のユニットから区別するためだけに用いられる。例えば、例示的な実施形態の原理から逸脱することなく、第１のユニットは、第２のユニットと呼ばれ得、同様に、第２のユニットは、第１のユニットと呼ばれ得る。更に、本明細書で使用される「及び／又は」という用語は、１又は複数の関連する列挙されるアイテムの任意の組み合わせ又は全ての可能な組み合わせを含む。
【００４５】
あるユニットが、別のユニットに「接続」又は「連結」されている場合に、そのユニットは、他のユニットに直接接続又は連結され得、又は何らかの中間ユニットを介して間接的に接続又は連結され得ることが理解されるはずである。対照的に、あるユニットが、別のユニットに「直接接続され」又は「直接連結され」ている場合に、中間ユニットは存在しない。相互関係を説明するために使用される他の単語及び表現が、同様に例示され得る（例えば、「直接的に...の間に」と比較して「...の間に」、「直接的に...に隣接して」と比較して「...に隣接して」等）。
【００４６】
本明細書で用いられる用語は、詳細な実施形態を説明することのみを意図されており、例示的な実施形態を限定することは意図されない。本明細書での単数形「ａ（１つの）」「ｏｎｅ（１つの）」は、文脈において明確に示されていない限り、複数形を含むと解釈されるべきである。加えて、本明細書で用いられる用語「含む（ｃｏｍｐｒｉｓｅ）」及び／又は「含む（ｉｎｃｌｕｄｅ）」は、定義されているような特性、整数、段階、操作、ユニット及び／又は手段の存在を定義するが、１又は複数の他の特性、整数、段階、操作、ユニット、手段及び／又はそれらの組み合わせの存在又は追加を除外することを意図されない。
【００４７】
いくつかの代替的な実施形態において、機能／操作が、図で特定されるものとは異なるシーケンスに従って実行され得ることが理解されるであろう。例えば、関与する機能／操作によって、連続して示されている２つの図が、実際にはほぼ同時に又は時には逆のシーケンスで実行され得ることが決定される。
【００４８】
図１、本出願の１つの実施形態による配送情報を自動的にプッシュするための方法１を参照されたい。
【００４９】
方法１において、配送情報は、配送されるべきアイテムの名称、配送されるべきアイテムに関する注文番号、配送されるべきアイテムの数量、配送されるべきアイテムの現在の位置、及び配送されるべきアイテムに対応する配達人の連絡先及び名前を含む情報のうちの少なくとも１つを含むが、これらに限定されない。
【００５０】
配送情報は、物流流通の分野において対象顧客を識別することを主に目的としている。対象顧客は、アイテム、又は複数のアイテムが、ユーザの位置に配送されるよう注文をするユーザであり得る。例えば、ユーザＡが、ｅコマースプラットフォームからエアコンを注文し、ｅコマースプラットフォームは、ユーザＡの位置へエアコンの配送を手配するよう命令される。この場合、対象顧客は、ユーザＡを指し得る。代替的に、対象顧客は又、注文をするユーザ以外の誰かを指し得る。例えば、ユーザＢが、ｅコマースプラットフォームからバラのブーケを注文し、バラのブーケは、ユーザＣに配送される。この場合、対象顧客は、ユーザＣを指す。
【００５１】
配送情報を自動的にプッシュするための方法１は、単一のコンピュータ、複数のコンピュータ、単一のネットワークサーバ、複数のネットワークサーバ、及びクラウドコンピューティングを提供するよう構成される複数のコンピュータ又はネットワークサーバから成るクラウドのうちの少なくとも１つによって実行され得る。
【００５２】
図１のＳ１００を参照すると、配達人の現在の地理的位置及び配送先が取得される。配達人は、小包及び手紙等を含むアイテムを配送している配達人を含むが、これに限定されない。
【００５３】
配達人の現在の地理的位置は、経度及び緯度、並びに又特定の位置情報から構成され得る。例えば、特定の位置情報は、Ｘ番地、Ｘ通り、Ｘ地方、Ｘ市であり得、それらは、経度及び緯度情報と組み合わされ得る。
【００５４】
配送先は、荷受人のアドレスを指し得る。例えば、ユーザが、Ｅコマースプラットフォームからエアコンを注文し、荷受人のアドレスを配送先として指定する。配送先はまた、ｅコマースプラットフォームによってオフラインで設定される荷受人のアドレスに近い収集位置を指し得る。例えば、ユーザが、荷受人が家にいない場合、ユーザのコミュニティの中のユーザの家に近い店の収集位置を配送アドレスに設定する。
【００５５】
配送先は、配達人によって保持される端末（例えば、携帯電話、タブレットコンピュータ、又は地理的位置情報をアップロードし得る他の電子デバイス）に格納され得、又はサーバ（例えば、配送情報を自動的にプッシュするためのサーバ）に格納され得、又は端末及びサーバの両方に格納され得る。
【００５６】
配達人の現在の地理的位置は、配達人によって保持される端末（例えば、携帯電話、タブレットコンピュータ又は地理的位置情報をアップロードし得る他の電子デバイス）の全地球測位システム（ＧＰＳ）ユニットから取得され、自動的にサーバ（例えば、配送情報を自動的にプッシュするためのサーバ）にアップロードされ得る。端末は又、サーバから端末によって受信された要求に応答して、サーバに現在の地理的位置を提供し得、サーバは、配達人によって保持される端末に要求を自動的に送信し、配達人の現在の地理的位置を取得する。
【００５７】
任意選択で、配達人の現在の地理的位置は、定期的に取得される。例えば、配達人によって保持される端末は、サーバ（例えば、配送情報を自動的にプッシュするためのサーバ）に配達人の現在の地理的位置を定期的にアップロードする。
【００５８】
任意選択で、配達人の現在の地理的位置は、リアルタイムで取得される。例えば、サーバ（例えば、配送情報を自動的にプッシュするためのサーバ）は、リアルタイムでかつ自動的に、配達人の現在の地理的位置を取得する。
【００５９】
Ｓ１１０において、配送先が配達人の現在の地理的位置を中心とするジオフェンシング内にあるかどうかの判断がなされる。
【００６０】
ジオフェンシングは、仮想フェンスによって取り囲まれた仮想地理的境界を指し得る。すなわち、ジオフェンシングは、仮想境界を定義し、仮想境界は、地理的位置が、ジオフェンシング又は仮想地理的境界内か又は外かを区別するために使用され得る。任意選択で、ユーザによって保持される端末（例えば、携帯電話、タブレットコンピュータ、又は地理的位置情報をアップロードし得る他の電子デバイス）が特定のジオフェンシングに出入りする、又は特定のジオフェンシング内で動き回る場合に、端末は、特定のサーバ（例えば、配送情報を自動的にプッシュするためのサーバ）によって送信されたメッセージ通知及び／又はリマインダを受信し得る。
【００６１】
１つの実施形態において、各配達人の時間内の行動の範囲、又は行動の迅速さを識別すべく、ジオフェンシング又はエリアは、配達人の現在の地理的位置をその中心として使用して生成される。本実施形態におけるジオフェンシングは、配達人の現在の地理的位置とともに移動する。
【００６２】
本出願の実施形態に関連して使用されるジオフェンシングをより詳細に説明するべく、図２が参照される。図２の例において、ジオフェンシングの地理的エリアは、マップ上に点線で表示され、各ジオフェンシングは、各配達人の現在の地理的位置をその中心として使用して決定される。図２で示されている例において、各ジオフェンシングは、それぞれの配達人とともに移動し、配達人の現在の地理的位置をその中心として使用する。配達人のルートが、図２において点線矢印で表示されている。
【００６３】
ジオフェンシングの範囲は、配達人本人によって端末に設定され得、又はサーバ（例えば、配送情報を自動的にプッシュするためのサーバ）によってデフォルトで設定され得る。
【００６４】
配達人の現在の地理的位置をその中心とするジオフェンシングは、配達人の現在の地理的位置をその中心とし、特定の距離をその半径とする円形又は正多角形であり得る。ジオフェンシングは又、配達人の現在の地理的位置をその中心とする不規則な多角形であり得、その境界は、例えば、地図画像に見られるように、現実の世界に対して、森林や川のような地形に存在する自然の境界等の地理的特徴によって定義される。 
【００６５】
配送先が、配達人の現在の地理的位置を中心とするジオフェンシング内にあるかどうかを判断することが、配達人によって保持される端末（例えば、携帯電話、タブレットコンピュータ、及び地理的位置情報をアップロードし得る他の電子デバイス）によって、又はサーバ（例えば、配送情報を自動的にプッシュするためのサーバ）によって行われ得る。
【００６６】
判断が配達人によって保持される端末によって行われる場合、配達人の現在の地理的位置及び配送先は、端末上に構成されるＧＰＳによって取得され得る。配送先が配達人の現在の地理的位置をその中心として使用して設定されるジオフェンシング内にあるかどうかの判断は、端末上に構成される判断機能を有するモジュール又はデバイスによってなされる。判断の結果は、端末によってサーバ（例えば、配送情報を自動的にプッシュするためのサーバ）にアップロードされる。
【００６７】
判断がサーバ（例えば、配送情報を自動的にプッシュするためのサーバ）によってなされる場合、配達人の現在の地理的位置及び配送先は、サーバによって取得され得る。サーバは、配送先が（配達人によって保持される）端末の現在の地理的位置をジオフェンシングの中心として使用して決定されるジオフェンシング内にあるかどうかの判断をなし得る。
【００６８】
配送先が配達人の現在の地理的位置を中心とする、ジオフェンシング内にあるかどうかの判断は、定期的に、例えば、特定の間隔で、又はリアルタイムで行われ得る。
【００６９】
Ｓ１２０において、配送先が配達人の現在の地理的位置を中心とするジオフェンシング内にある場合、配送情報が配送対象顧客にプッシュされる。
【００７０】
サーバが、配達人によって保持される端末から、配送先が、配達人の現在の地理的位置をその中心とするジオフェンシング内にあるかどうかに関するアップロードされた判断結果を受信する場合、サーバは、受信された判断結果に従って配送対象顧客に配送情報をプッシュするかどうかを判断し得る。
【００７１】
上述のように、対象顧客は、自ら注文をするユーザであり得る。例えば、ユーザＡが、ｅコマースプラットフォームからエアコンを注文し、ｅコマースプラットフォームは、配送に関して手配するよう要求される。この場合、対象顧客は、ユーザＡを指し得、対象顧客はまた、自らに注文をするユーザ以外の誰かを指し得る。例えば、ユーザＢが、ＥコマースプラットフォームからユーザＣのためにバラのブーケを注文し、この場合、対象顧客は、ユーザＣを指し得る。
【００７２】
配送先が配達人の現在の地理的位置を中心とするジオフェンシング内にある場合、サーバは、配送対象顧客に配送情報をプッシュする。 
【００７３】
配送情報は、配送されるべきアイテムの名称、配送されるべきアイテムの注文番号、配送されるべきアイテムの数量、配送されるべきアイテムの現在の位置、及び配送されるべきアイテムに対応する配達人の連絡先及び名前を含む情報のうちの少なくとも１つを含み得るが、これらに限定されない。
【００７４】
配達人と対象顧客との間の適時の通信で、配達人は、対象顧客からのフィードバックに従って対象顧客への配送を続けるかどうかを判断し得る。
【００７５】
図３のＳ１３０を参照すると、配送情報に関するフィードバックが、配送対象顧客から受信される。受信されたフィードバックは、配送が配送対象顧客によって受領され得るかどうかを示す。
【００７６】
サーバは、配送対象顧客に配送情報をプッシュし得、又、配送対象顧客から配送情報に関するフィードバックを受信し得、フィードバックは、配送を受け取ることに同意する、一時的に配送を受け取る都合が悪くＸＸ期間の間であれば配送を受け取る都合がよい、のうちの１つを含むが、これに限定されない。
【００７７】
Ｓ１４０において、フィードバックは、配達人に転送される。
【００７８】
サーバが配送対象顧客から配送情報に関するフィードバックを受信する場合、フィードバックは、配達人に伝送され得、そうすることにより配達人は、そのフィードバックによって配送を続けるかどうかを判断し得る。
【００７９】
図４は、１つの開示されている実施形態による収集情報を自動的に提供する方法を図示する。
【００８０】
開示されている実施形態によると、収集情報は、ドアで収集されるべきアイテムの配達人の連絡先、名前及び現在の地理的位置、及びアイテムがドアで収集されるべき時間のうちのいずれか１つ又は複数を含むが、これらに限定されない。
【００８１】
本実施形態における収集情報は、収集されるべきアイテムの送り主に対して主に提供される。例えば、ユーザＡが、配達人が目的地Ｘ市に送る小包を持っていると仮定すると、ユーザＡは、収集されるべきアイテムの送り主である。
【００８２】
収集情報を自動的に提供する方法は、単一のコンピュータ、複数のコンピュータ、単一のネットワークサーバ、複数のネットワークサーバ、及びクラウドコンピューティングを提供するよう構成される複数のコンピュータ又はネットワークサーバから成るクラウドのうちの少なくとも１つによって実行され得る。
【００８３】
図４のＳ２００において、収集されるべきアイテム及び複数の配達人の現在の地理的位置が取得される。
【００８４】
本明細書で収集されるべきアイテムは、配達人によってドアのところで収集されるべき小包及び手紙等のようなアイテムを指し得るが、これらには限定されない。
【００８５】
収集されるべきアイテムの現在の地理的位置は、経度及び緯度情報、並びに又特定の位置情報から構成され得る。例えば、特定の位置情報は、Ｎｏ．Ｘ、Ｘ通り、Ｘ地方、Ｘ市、及び又経度及び緯度と特定の位置情報との組み合わせであり得る。
【００８６】
一例において、収集されるべきアイテムの現在の地理的位置は、収集されるべきアイテムの送り主によって、その送り主によって保持される端末上に入力され、収集情報を自動的に提供するサーバにアップロードされ得る。例えば、現在の地理的位置入力は、Ｎｏ．Ｘ、Ｘ通り、Ｘ地方、Ｘ市であり得る。別の例において、収集されるべきアイテムの現在の地理的位置は、収集情報を自動的に提供するサーバによって送り主によって保持される端末上で識別され得、識別された地理的位置は、送り主が現在の地理的位置情報を手動で入力することなく、送り主が確認するために提供される。
【００８７】
任意選択で、収集されるべきアイテムの現在の地理的位置は、収集されるべきアイテムの、送り主の以前に使用されたアドレス、又は以前に使用されたアドレス以外の新たなアドレスのうちの１つである。例えば、収集されるべきアイテムの送り主が、企業Ａから配達人を通じてアイテムを通常送る場合、企業Ａが、送り主の以前に使用されたアドレスのうちの１つになり得る。別の例として、収集されるべきアイテムの送り主が、以前に使用されたアドレスのうちの１つである家Ｂから、アイテムがそこから送られる必要がある新たな家Ｃに引っ越すとする。この場合、家Ｃが、以前に使用されたアドレス以外の新たなアドレスである。
【００８８】
複数の配達人の現在の地理的位置は、経度及び緯度、並びに又特定の位置情報から構成され得る。例えば、特定の位置情報は、Ｎｏ．Ｘ、Ｘ通り、Ｘ地方、Ｘ市並びに経度及び緯度と特定の位置情報との組み合わせでもあり得る。
【００８９】
複数の配達人の現在の地理的位置は、配達人によって保持される端末（例えば、携帯電話、タブレットコンピュータ及び地理的位置情報をアップロードし得る他の電子デバイス）上に構成される全地球測位システム（ＧＰＳ）によって取得され得る。現在の地理的位置は、配送情報を自動的にプッシュするためのサーバに自動的にアップロードされ得る。配達人の現在の地理的位置はまた、収集情報を自動的に提供するサーバによって取得され得る。サーバは、配達人の現在の地理的位置を取得する要求を送信し得、一旦端末がサーバから要求を受領すると、地理的位置を取得し得る。
【００９０】
複数の配達人の現在の地理的位置を取得することは、定期的に又はリアルタイムで行われ得る。
【００９１】
いくつかの非限定的な例として、複数の配達人が、全ての配送企業の配達人の全て、又は特定の配達人、不特定の配達人又は１つの特定の企業若しくは収集されるべきアイテムの送り主によって選択された複数の特定の企業の複数の配達人であり得る。 
【００９２】
１つの実施形態によると、収集情報を自動的に提供する方法は、収集されるべきアイテムの送り主から、複数の配達人を受信することを含み、複数の配達人は、配達人の選択要件、又は基準に従って配達人グループから選択される。配達人に関する選択要件、又は基準は、例えば、配達人の特定の配送企業、配送スピード追跡記録、配送サービスの質及び経験年数等を含む。
【００９３】
ジオフェンシングに基づいて位置を決定する前に、アイテムの送り主によって指定された、選択要件、又は選択基準を満たす配達人を選択することは、サーバにとって有益である。サーバが複数の配達人に関するジオフェンシング分析を行う必要を回避し得るので、サーバの作業負荷は低減される。加えて、アイテム送り主を対象とした収集サービスが提供される。
【００９４】
図４のＳ２１０において、収集されるべきアイテムの現在の地理的位置が、複数の配達人のうちの少なくとも１人のジオフェンシング内にあるかどうかの判断がなされ、各ジオフェンシングは、配達人の現在の地理的位置をその中心として使用して決定される。
【００９５】
ジオフェンシングは、複数の配達人のうちの少なくとも１人の現在の地理的位置をその中心とし、特定の距離を半径とする円形又は正多角形であり得る。ジオフェンシングは又、複数の配達人のうちの少なくとも１人の現在の地理的位置をその中心とする不規則な多角形であり得、地図画像に準じた現実の世界の地理的特徴によって限定され得る。
【００９６】
少なくとも１人の配達人の現在の地理的位置をその中心とするジオフェンシングの範囲は、配達人によって端末上に自ら設定され得、又は収集情報を自動的に提供するサーバによってデフォルトで設定され得る。
【００９７】
任意選択で、収集情報を自動的に提供するサーバは、収集されるべきアイテムの現在の地理的位置が、複数の配達人のうちの少なくとも１人のジオフェンシング内にあるかどうかを判断し、ジオフェンシングは、配達人の現在の地理的位置をその中心として有する。
【００９８】
収集されるべきアイテムの現在の地理的位置が、複数の配達人のうちの少なくとも１人のジオフェンシング内にあるかどうかに関する判断は、定期的に又はリアルタイムで行われ得る。
【００９９】
Ｓ２２０において、収集されるべきアイテムの現在の地理的位置が、複数の配達人のうちの少なくとも１人のジオフェンシング内にある場合、少なくとも１人の配達人の情報のリストが、収集されるべきアイテムの送り主に提供され、情報のリストは、少なくとも１人の配達人のそれぞれの現在の地理的位置を含む。
【０１００】
任意選択で、収集情報を自動的に提供するサーバは、収集されるべきアイテムの現在の地理的位置が、複数の配達人のうちの少なくとも１人のジオフェンシング内にあるかどうかに関する結果に従って、収集されるべきアイテムの送り主に少なくとも１人の配達人を識別する情報のリストを提供するかどうかを判断する。配達人のジオフェンシングが、配達人の現在の地理的位置をその中心として有する。
【０１０１】
例えば、収集情報を自動的に提供するサーバは、５人の配達人の各々の現在の地理的位置を配達人のそれぞれのジオフェンシングの中心として使用して、収集されるべきアイテムの現在の地理的位置が５人の配達人の各々のジオフェンシング内にあるかどうかを判断する。すなわち、５人の配達人のジオフェンシングは全て、収集されるべきアイテムの現在の地理的位置に重なる。従って、収集情報を自動的に提供するサーバは、５人の配達人の情報のリストを収集されるべきアイテムの送り主に提供し、情報リストは、５人の配達人のそれぞれの現在の地理的位置を少なくとも含む。従って、収集されるべきアイテムの送り主は、サーバによって提供される５人の配達人の情報のリストに従って選択をなし得、送り主は、１人又は複数の配達人を、ドアで収集されるべきアイテムを収集するよう指名し得る。
【０１０２】
配達人の情報のリストは、配達人の現在の地理的位置に関する情報、配達人の名前及び連絡先、配達人の配送企業、配達人の配送品質評価（配送スピードとサービスの質を含む）の記録等のうちの少なくとも１つを含むが、これらに限定されない。
【０１０３】
図５は、本出願の少なくとも１つの実施形態による収集情報を自動的に提供する方法を提供する。本実施形態によると、方法は、どの配達人又は複数の配達人が、収集されるべき特定のアイテムの送り主に対して収集サービスを提供するかを決定する。
【０１０４】
図５のＳ２３０において、情報のリストからの少なくとも１人の配達人の送り主の選択が、収集されるべきアイテムの送り主から受信される。
【０１０５】
例えば、収集されるべきアイテムの送り主は、１人又は複数の配達人を収集されるべきアイテムを配送する事業者として選択し得る。送り主は、収集情報を自動的に提供するサーバによって提供される情報のリストからの選択をなし得る。少なくとも１つの列挙される配達人のそれぞれが、選択要件、又は基準を満たし、収集されるべきアイテムの現在の地理的位置と重なるジオフェンシングを有する。各配達人のジオフェンシングは、配達人の現在の地理的位置を配達人のジオフェンシングの中心として使用して決定される。 
【０１０６】
Ｓ２４０において、収集されるべきアイテムに関する情報が、受信された選択に基づいて選択された配達人にプッシュされる。選択された配達人にプッシュされる情報は、収集されるべきアイテム及び収集されるべきアイテムの送り主の連絡先情報を識別する。
【０１０７】
例えば、収集情報を自動的に提供するサーバは、収集されるべきアイテムの送り主から、情報のリストからの１人又は複数の特定の配達人の選択を受信し、選択された１人又は複数の特定の配達人に、収集されるべきアイテムに関する情報をプッシュする。
【０１０８】
収集されるべきアイテムに関する情報は、収集されるべきアイテムの現在の地理的位置、収集されるべきアイテムの送り主の連絡先情報、並びに収集されるべきアイテムのタイプ、重量、体積及び配送の時間等のうちの少なくとも１つを含むが、これらに限定されない。
【０１０９】
いくつかの場合において、現在要求を満たす配達人が存在しない、例えば、配達人の現在の地理的位置をジオフェンスの中心として使用して決定されるような、収集されるべきアイテムの現在の地理的位置と重なるジオフェンシングを有する配達人が現在存在しない、ということがある。
【０１１０】
図５で示されている実施形態は、収集されるべきアイテムの送り主に、より配慮のあるサービスを好ましくは提供すべく、選択要件、又は基準を満たす配達人が現在存在しない状況を考慮する。 
【０１１１】
図５で示されている実施形態によると、収集されるべきアイテムの現在の地理的位置が、複数の配達人のそれぞれのジオフェンシング外にある場合、収集されるべきアイテムの送り主は、待ち続けたいかどうか問い合わせされる。
【０１１２】
収集されるべきアイテムの送り主から、待ち続けたいという応答が受信される場合、複数の配達人の現在の地理的位置は、取得され得、収集されるべきアイテムの現在の地理的位置が、複数の配達人のいずれかのジオフェンシング内にあるかどうかを判断するために使用され得る。取得すること及び判断することは、定期的に又はリアルタイムで操作され得る。各配達人のジオフェンシングは、配達人の現在の地理的位置を配達人のそれぞれのジオフェンシングの中心として使用して決定される。
【０１１３】
例えば、現在の時間において、配達人の現在の地理的位置をジオフェンシングの中心として使用して決定されるような、収集されるべきアイテムの現在の地理的位置と重なるジオフェンシングをもつ配達人が存在しない、ということがある。収集情報を自動的に提供するサーバは、収集されるべきアイテムの送り主に待ち続けたいかどうかを問い合わせ得る。クエリの表示形式は、収集されるべきアイテムの送り主によって保持される端末上に表示されるプロンプトであり得る。例えば、端末のインタフェース上に表示されるプロンプトは、ユーザに「サーバからの警告を待つかどうか」を尋ねるプロンプトを含み得る。
【０１１４】
収集情報を自動的に提供するサーバが、送り主から待ち続けたいという応答を受信する場合、サーバは、定期的に又はリアルタイムで、複数の配達人の現在の地理的位置を取得し、収集されるべきアイテムの現在の地理的位置が、複数の配達人のうちの少なくとも１人のジオフェンシング内にあるかどうかを判断する。各配達人のジオフェンシングは、配達人の現在の地理的位置をジオフェンシングの中心として使用して決定される。そうすることで、サーバは、将来いつか少なくとも１人の配達人に関して決定されるジオフェンシングが、収集されるべきアイテムの現在の地理的位置と重なる場合、収集されるべきアイテムの送り主に迅速に通知し得る。
【０１１５】
図６を参照すると、図６は、本出願の１つの実施形態による配達人情報を管理するための第３の方法を提供する。
【０１１６】
配達人の現在の地理的位置を中心とするジオフェンシング内の配送先にいる配送対象顧客に対して、配達人情報は、配送対象顧客が配送を受領するつもりであるかどうかを示す配送対象顧客のフィードバックを含むが、これに限定されない。フィードバックは、配送を受け取ることに同意する、配送が一時的に都合が悪いという指示、配送はＸＸ期間の間であれば都合がよいという指示、又は他のフィードバックのうちの１つを含むが、これに限定されない。
【０１１７】
配達人の現在の地理的位置を中心とするジオフェンシング内の位置で収集されるべきアイテムの送り主に対して、配達人情報は、ドアでアイテムを収集する配達人の連絡先、名前及び現在の地理的位置、アイテムがドアで収集されるべき時間、等を示す情報のうちの１又は複数を含むが、これらに限定されない。
【０１１８】
第３の方法は、配達人によって保持される端末（例えば、携帯電話、タブレットコンピュータ、及び地理的位置情報をアップロードし得る他の電子デバイス）によって行われ得る。
【０１１９】
図６のＳ３００において、配達人の現在の地理的位置は、自動的にアップロードされる。
【０１２０】
配達人の現在の地理的位置は、経度及び緯度情報から構成され得、特定の位置情報から更に構成され得る。例えば、特定の位置情報は、Ｎｏ．Ｘ、Ｘ通り、Ｘ地方、Ｘ市であり得、配達人の現在の地理的位置は、経度及び緯度情報と特定の位置情報との組み合わせであり得る。
【０１２１】
Ｓ３００において取得される情報は、配達人によって保持される端末（例えば、携帯電話、タブレットコンピュータ及び地理的位置情報をアップロードし得る他の電子デバイス）上に構成される全地球測位システム（ＧＰＳ）から取得され、自動的に特定のサーバにアップロードされ得る。
【０１２２】
少なくとも１つの実施形態によると、配達人の現在の地理的位置の自動的なアップロードが、一定の間隔で又はリアルタイムで行われ得る。
【０１２３】
図６のＳ３１０において、配送先にいる配送対象顧客からフィードバックが受信され、その配送先は、配達人の現在の地理的位置を中心とするジオフェンシング内にある。フィードバックは、配送対象顧客が配送を受領するつもりであるかどうかを示し、及び／又は情報は、配達人の現在の地理的位置を中心とするジオフェンシング内の位置にいる収集されるべきアイテムの送り主から収集されるべきアイテムに関する。
【０１２４】
フィードバック及び／又は収集されるべきアイテムに関する情報は、配達人によって保持される端末によって、特定のサーバから受信され得る。
【０１２５】
Ｓ３２０において、配送を受領するかどうかを示すフィードバック及び／又は収集されるべきアイテムに関する情報が表示される。
【０１２６】
フィードバック及び／又は収集されるべきアイテムに関する情報は、それぞれメニュー、例えば、カテゴリメニューに従って表示され得る。例えば、端末インタフェース上に表示されるメニューは、フィードバックを閲覧するために選択可能なメニュー項目と、収集されるべきアイテムを閲覧するために選択可能なメニュー項目とを含む。フィードバックを閲覧するメニュー項目のユーザの選択に応答して、フィードバックが端末インタフェース上に表示され、又は、収集されるべきアイテムを閲覧するメニュー項目のユーザの選択に応答して、収集されるべきアイテムが表示され得る。
【０１２７】
任意選択で、方法３において使用されるジオフェンシングは、配達人の現在の地理的位置をその中心とし、特定の距離を半径とする円形又は正多角形を有し得、ジオフェンシングは又、配達人の現在の地理的位置をその中心とする不規則な多角形を有し得、例えば、地図画像に見られるように、現実の世界において示される地理的特徴によって決定される境界を有し得る。
【０１２８】
図７が参照され、図７は、本開示の１つの実施形態によるユーザ情報を管理する第４の方法を提供する。
【０１２９】
本実施形態によると、その位置が、ユーザにアイテムを配送する配達人のジオフェンシング内にあるユーザに対して、配送情報は、配送されるべきアイテムの名称、配送されるべきアイテムの注文番号、配送されるべきアイテムの数量、配送されるべきアイテムの現在の位置、及び配送されるべきアイテムに対応する配達人の連絡先及び名前を含む情報のうちのいずれか１つ又は複数を含むが、これらに限定されない。配達人の現在の地理的位置は、配達人のジオフェンシングの中心にある。
【０１３０】
本実施形態によると、配達人によって集荷されるべきアイテムをもつユーザに対して、ユーザ情報は、ユーザの位置を含むジオフェンシングをもつ複数の配達人のうちの少なくとも１人の配達人の情報のリストを含む。情報のリストは、少なくとも１人の配達人の地理的位置、又配達人の名前及び連絡先、配達人の配送企業、配達人の配送品質（配送スピードとサービスの質を含む）の評価の追跡記録等を含む情報のうちの少なくとも１つを含む。配達人のジオフェンシングは、配達人の現在の地理的位置をその中心として有する。
【０１３１】
本実施形態によると、ユーザ情報を管理する第４の方法は、ユーザによって保持される端末（例えば、携帯電話、タブレットコンピュータ、及び地理的位置情報をアップロードし得る他の電子デバイス）によって行われ得る。
【０１３２】
図７によると、Ｓ４００において、収集されるべきアイテムの現在の地理的位置がアップロードされる。
【０１３３】
収集されるべきアイテムの現在の地理的位置は、収集されるべきアイテムの送り主によって端末上に入力され得、又は端末上の位置決めモジュールを通じて取得され、特定のサーバにアップロードされ得る。
【０１３４】
任意選択で、収集されるべきアイテムの現在の地理的位置は、アイテムを収集する送り主によって以前に使用されたアドレス、又は以前に使用されたアドレス以外の新たなアドレスであり得る。
【０１３５】
Ｓ４１０において、ユーザの位置が、ユーザのためにユーザの位置にアイテムを配送する配達人のジオフェンシング内にある場合、配送情報が受信され、及び／又はユーザの位置が、複数の配達人のうちの少なくとも１人の配達人のジオフェンシング内にある場合、ユーザの配送要求に応答して、少なくとも１人の配達人のリストを含む情報のリストが受信される。情報のリストは、少なくとも１人の配達人の地理的位置を含む。各配達人の現在の地理的位置は、配達人に関して使用されるジオフェンシングの中心として使用される。
【０１３６】
配送情報及び／又は少なくとも１人の配達人の情報のリストは、ユーザによって保持される端末（例えば、携帯電話、タブレットコンピュータ、及び地理的位置情報をアップロードし得る他の電子デバイス）によって、特定のサーバから取得され得る。
【０１３７】
Ｓ４２０において、配送情報及び／又は少なくとも１人の配達人の情報のリストが表示される。
【０１３８】
配送情報及び少なくとも１人の配達人の情報のリストは、それぞれカテゴリメニューに従って表示され得る。例えば、端末インタフェース上に表示されるメニューは、配送情報メニュー選択及び配達人情報メニュー選択を含む。配送情報メニュー選択のユーザの選択に応答して、端末のインタフェースは、配送情報の内容を表示し、配達人情報のリストメニュー選択のユーザの選択に応答して、端末のインタフェースは、配達人情報のリストの内容を表示する。
【０１３９】
任意選択で、ユーザ情報を管理するための第４の方法は又、ユーザから、配送情報に関するフィードバックを受信することを含む。ユーザから受信されるフィードバックは、配送を受領するかどうかを示し、フィードバックは、集荷に同意する、一時的に集荷の都合が悪くＸＸ期間の間であれば集荷の都合がよい、及びその他のうちの１つを含むが、これに限定されない。
【０１４０】
第４の方法は、フィードバックをアップロードすることを任意選択で含み得る。フィードバックは、ユーザによって保持される端末（例えば、携帯電話、タブレットコンピュータ、及び地理的位置情報をアップロードし得る他の電子デバイス）によって、特定のサーバにアップロードされ得る。
【０１４１】
フィードバックは又、ユーザが配送を拒否している場合、配送を受け入れ可能な時間を任意選択で示し得る。
【０１４２】
任意選択で、ユーザ情報を管理するための第４の方法は又、少なくとも１人の配達人の情報のリストからユーザの配達人の選択を受信することを含み得る。配達人の情報のリストは、配達人の配送企業、配達人の配送追跡記録の評価、配達人の名前及び連絡先等のうちの少なくとも１つを含むが、これらに限定されない。配達人の選択は、少なくとも１人の配達人の情報のリストから選択された配達人、又は複数の配達人を含み得る。ユーザの配達人選択は、ユーザによって保持される端末（例えば、携帯電話、タブレットコンピュータ、及び地理的位置情報をアップロードし得る他の電子デバイス）によって、特定のサーバに任意選択でアップロードされ得る。
【０１４３】
任意選択で、ユーザ情報を管理するための第４の方法は又、ユーザの位置が複数の配達人のうちの任意の配達人のジオフェンシング外にある場合、待ち続けるかどうかのクエリを表示することを含む。例えば、ユーザによって保持される端末のインタフェース上に、「サーバからのリマインダを待つかどうか」を尋ねるプロンプトが表示され得る。待ち続けたいという応答がユーザから受信される場合、ユーザの端末は、ユーザの位置がその後複数の配達人のうちの少なくとも１人の配達人のジオフェンシング内にある場合、少なくとも１人の配達人の情報のリストを受信及び表示し得る。
【０１４４】
サーバからのリマインダを待ち続けたいというユーザの選択に応答することによって、本実施形態は、要求、又は基準を満たす配達人が将来識別される場合に、迅速にユーザのために配達人の情報を表示し得、従ってアイテム配送を迅速に手配し得る。
【０１４５】
任意選択で、ユーザ情報を管理するための第４の方法は又、ユーザに配達人選択要件、又は基準を入力するようにリマインドすることを含む。配達人選択要件、又は基準は、例えば、配達人の特定の配送企業、配送スピード追跡記録、配送サービス品質追跡記録、経験年数等を含み得る。ユーザによって入力された、選択要件、又は基準は、受信及びアップロードされ得、複数の配達人は、ユーザの配達人選択要件、又は基準に従って配達人グループから選択され得る。 
【０１４６】
従って１つの実施形態によると、ジオフェンシングに基づいて位置決定を実行する前に、ユーザ情報を管理するための第４の方法は、アイテムの送り主から受信された選択要件、又は基準を満たす１人又は複数の配達人を選択する。有益なことに、これは、一方では複数の配達人のジオフェンシングを分析する、特定のサーバの作業負荷を低減し、他方ではアイテムの送り主を対象とした収集サービスを提供する。
【０１４７】
図８は、本開示の少なくとも１つの実施形態による配送情報を自動的にプッシュするためのサーバを提供する。図８で示される例において、サーバは、配達人の現在の地理的位置及び配送先を取得するよう構成される第１の取得ユニット７００と、配送先が配達人の現在の地理的位置を中心とするジオフェンシング内にあるかどうかを判断するよう構成される第１の判断ユニット７１０と、配送先が配達人の現在の地理的位置を中心とするジオフェンシング内にある場合、配送対象顧客に配送情報をプッシュするよう構成される第１のプッシュユニット７２０とを含む。
【０１４８】
任意選択で、サーバは又、配送対象顧客から、配送情報に関する、配送を受け取るかどうかを示すフィードバックを受信するよう構成される第１の受信ユニットを含む。サーバは、配達人にフィードバックを転送するよう構成される第１の転送ユニットを任意選択で含み得る。
【０１４９】
任意選択で、配達人の現在の地理的位置を中心とするジオフェンシングは、円形を有し、又は正多角形である。配達人のジオフェンシングの中心は、配達人の現在の地理的位置であり、配達人のジオフェンシングは、特定の距離をその半径とする。
【０１５０】
１つの実施形態において、第１の取得ユニットは、配達人の現在の地理的位置を定期的に取得するよう構成され得る。第１の判断ユニットは、配送先が配達人の現在の地理的位置を中心とする、ジオフェンシング内にあるかどうかを判断するよう構成され得、その位置は、定期的に取得される。
【０１５１】
別の実施形態において、第１の取得ユニットは、配達人の現在の地理的位置をリアルタイムで取得するよう構成される。第１の判断ユニットは、配送先が、配達人の現在の地理的位置を中心とする、ジオフェンシング内にあるかどうかを判断するよう構成され、配達人の現在の地理的位置は、リアルタイムで取得されている。
【０１５２】
図９は、本開示の少なくとも１つの実施形態による収集情報を自動的に提供するサーバの例を提供する。図９で図示されるように、少なくとも１つの実施形態によるサーバは、第２の取得ユニット８００、第２の判断ユニット８１０、及び情報の提供ユニット８２０を含む。
【０１５３】
第２の取得ユニット８００は、収集されるべきアイテム及び複数の配達人の現在の地理的位置を取得し、第２の判断ユニット８１０は、収集されるべきアイテムの現在の地理的位置が、複数の配達人のうちの少なくとも１人のジオフェンシング内にあるかどうかを判断するよう構成される。各配達人のジオフェンシングは、配達人の現在の地理的位置をその中心として使用する。サーバの情報提供ユニット８２０は、収集されるべきアイテムの現在の地理的位置が少なくとも１人の配達人のジオフェンシング内にある場合、収集されるべきアイテムの送り主に少なくとも１人の配達人の情報のリストを提供するよう構成される。情報のリスト内に含まれる少なくとも１人の配達人の各配達人は、配達人の現在の地理的位置をその中心として有するジオフェンシングを有する。情報のリストは、少なくとも１人の配達人のそれぞれの現在の地理的位置を含む。
【０１５４】
図１０は、本開示の１又は複数の実施形態による図９で示されているサーバとの使用のための任意選択のコンポーネントを提供する。図１０で示されるように、少なくとも１つの実施形態によると、サーバは、第２の受信ユニット８３０及び第２のプッシュユニット８４０を任意選択で更に含み得る。
【０１５５】
第２の受信ユニット８３０は、収集されるべきアイテムの送り主から、少なくとも１人の配達人の情報のリストから選択された配達人を受信するよう構成される。第２のプッシュユニット８４０は、収集されるべきアイテムについての情報を、送り主から受信された選択に基づいて選択された配達人にプッシュするよう構成される。収集されるべきアイテムについての情報は、収集されるべきアイテムの送り主に関する現在の地理的位置及び連絡先情報を少なくとも含む。
【０１５６】
任意選択で、ジオフェンシングは、複数の配達人のうちの少なくとも１人の現在の地理的位置をその中心とする円形又は正多角形を有し得る。
【０１５７】
１つの実施形態において、第２の取得ユニット８００は、収集されるべきアイテムの現在の地理的位置及び複数の配達人のそれぞれの地理的位置を定期的に取得するよう構成され、第２の判断ユニット８１０は、収集されるべきアイテムの現在の地理的位置が、複数の配達人のうちの少なくとも１人のジオフェンシング内にあるかどうかを定期的に判断するよう構成される。
【０１５８】
別の実施形態において、第２の取得ユニット８００は、収集されるべきアイテムの現在の地理的位置及び複数の配達人の現在の地理的位置をリアルタイムで取得するよう構成され、第２の判断ユニット８１０は、収集されるべきアイテムの現在の地理的位置が、複数の配達人のうちの少なくとも１人のジオフェンシング内にあるかどうかをリアルタイムで判断するよう構成される。各配達人のジオフェンシングは、配達人の現在の地理的位置をその中心として使用する。
【０１５９】
図１１は、本開示の１又は複数の実施形態による、図９で示されているサーバとの使用のための任意選択のコンポーネントを提供する。図１１で示されるように、少なくとも１つの実施形態によると、サーバは、クエリ送信ユニット８５０及びクエリ応答受信ユニット８６０を任意選択で更に含み得る。
【０１６０】
クエリ送信ユニット８５０は、収集されるべきアイテムの送り主に送り主が待ち続けたいかどうかに関するクエリを送信するよう構成される。クエリは、収集されるべきアイテムの現在の地理的位置が複数の配達人のうちのいずれか１人のジオフェンシング外にある場合、送り主に送信され得る。各配達人のジオフェンシングは、配達人の現在の地理的位置をその中心として使用する。
【０１６１】
クエリ応答受信ユニット８６０は、収集されるべきアイテムの送り主から、送り主が待ち続けたいかどうかを示す応答を受信するよう構成される。
【０１６２】
本開示の１つの実施形態によると、第２の取得ユニット８００は、クエリ応答受信ユニット８６０が、送り主が待ち続けたいということを示す応答を送り主から受信する場合、複数の配達人の現在の地理的位置を、定期的に又はリアルタイムでのいずれかで取得する。
【０１６３】
クエリ応答受信ユニット８６０が、待ち続けたいということを示す応答を送り主から受信する場合に、第２の判断ユニット８１０は、収集されるべきアイテムの現在の地理的位置が複数の配達人のうちの少なくとも１人のジオフェンシング内にあるかどうかを、定期的に又はリアルタイムでのいずれかで判断する。各配達人のジオフェンシングは、配達人の現在の地理的位置をその中心として使用する。
【０１６４】
任意選択で、サーバは、収集されるべきアイテムの送り主から、配達人選択要件、又は基準を受信するよう構成される要求受信ユニットを更に含む。複数の配達人は、送り主の配達人選択要件、又は基準に従って配達人グループから選択される。
【０１６５】
図１２は、本開示の少なくとも１つの実施形態による配達人情報を管理するための端末の例を提供する。 
【０１６６】
少なくとも１つの実施形態によると、配達人情報を管理するための端末は、アプリケーション、又はａｐｐとして、携帯電話、タブレットコンピュータ等のような電子デバイス上にインストールされ得る。１つの実施形態によると、ａｐｐは、ａｐｐアイコンとして電子デバイス上に表示される。ユーザの、ａｐｐアイコンのクリックを受信することに応答して、ａｐｐは、本開示の１又は複数の実施形態による機能を提供するために実行される。
【０１６７】
図１２の例において示されているように、配達人情報を管理するための端末は、第１の位置アップロードユニット９００、第１の情報受信ユニット９１０、及び第１の表示ユニット９２０を含む。第１の位置アップロードユニット９００は、配達人の現在の地理的位置を自動的にアップロードするよう構成される。第１の情報受信ユニット９１０は、配達人の現在の地理的位置を中心とするジオフェンシング内の配送先にいる配送対象顧客から、配送を受領するかどうかを示すフィードバック及び／又は配達人の現在の地理的位置を中心とするジオフェンシング内の位置で収集されるべきアイテムの送り主からの収集されるべきアイテムに関する情報を受信するよう構成される。
【０１６８】
第１の表示ユニット９２０は、配送を受領するかどうかを示すフィードバック及び／又は収集されるべきアイテムに関する情報を表示するよう構成される。
【０１６９】
任意選択で、配達人の現在の地理的位置を中心とするジオフェンシングは、円形を有し、又は配達人の現在の地理的位置をその中心し、特定の距離を半径とする正多角形である。
【０１７０】
第１の位置アップロードユニット９００は、定期的に又はリアルタイムで配達人の現在の地理的位置を自動的にアップロードするよう構成され得る。
【０１７１】
図１３は、本開示の少なくとも１つの実施形態によるユーザ情報を管理するための端末の例を提供する。ユーザ情報を管理するための端末は、携帯電話、タブレットコンピュータ等のような電子デバイス上にアプリケーション（ａｐｐ）形式でインストールされ得る。ａｐｐは、ａｐｐアイコンとして電子デバイス上に表示され得る。ユーザの、ａｐｐアイコンのクリックを受信することに応答して、ａｐｐは、本開示の１又は複数の実施形態による機能を提供するために実行される。 
【０１７２】
図１３によると、ユーザ情報を管理するための端末は、第２の位置アップロードユニット１０００、第２の情報受信ユニット１０１０、及び第２の表示ユニット１０２０を含む。 
【０１７３】
第２の位置アップロードユニット１０００は、収集されるべきアイテムの現在の地理的位置をアップロードするよう構成される。第２の情報受信ユニット１０１０は、ユーザの位置が、ユーザのためにアイテムを配送する配達人の現在の地理的位置を中心とするジオフェンシング内にある場合、配送情報を受信する、及び／又はユーザの位置が、複数の配達人のうちの少なくとも１人の配達人の現在の地理的位置を中心とするジオフェンシング内にある場合、ユーザの配送要求に応答して、少なくとも１人の配達人の情報のリストを受信するよう構成される。情報のリストは、少なくとも１人の配達人の地理的位置を含む。第２の表示ユニット１０２０は、配送情報及び／又は少なくとも１人の配達人の情報のリストを表示するよう構成される。
【０１７４】
任意選択で、ユーザ情報を管理するための端末は、ユーザから配送情報に関する、配送を受け取るかどうかを示すフィードバックを受信するよう構成されるフィードバック受信ユニットと、フィードバックをアップロードするよう構成されるフィードバックアップロードユニットとを更に含む。フィードバックは又、ユーザが配送を拒否している場合、配送を受け入れ可能な時間を示す。
【０１７５】
任意選択で、ユーザ情報を管理するための端末は、ユーザから、少なくとも１人の配達人の情報リストからの配達人の選択を受信するよう構成される第３の受信ユニットと、選択をアップロードするよう構成される第３のアップロードユニットとを更に含む。
【０１７６】
任意選択で、ユーザ情報を管理するための端末は、ユーザ位置が複数の配達人の各配達人のジオフェンシング外にある場合、ユーザが待ち続けたいかどうかを示すようユーザに要求するクエリを表示するよう構成される第３の表示ユニットを更に含む。ユーザから、待ち続けたいということを示す応答が受信される場合、端末は、少なくとも１人の配達人の情報のリストを受信及び表示するよう構成される第４の表示ユニットを任意選択で更に含み、ユーザの位置は、複数の配達人のうちの少なくとも１人の配達人のジオフェンシング内になる。各配達人のジオフェンシングは、配達人の現在の地理的位置を中心とする。
【０１７７】
任意選択で、ユーザ情報を管理するための端末は、配達人選択要件、又は基準を入力するようユーザにリマインドするよう構成されるリマインドユニットと、ユーザによって入力された、配達人選択要件、又は基準を受信しアップロードするよう構成される配達人選択要件アップロードユニットとを更に含む。複数の配達人が、ユーザの配達人選択要件、又は基準に従って配達人グループから選択され得る。
【０１７８】
図８〜図１３において提供されているブロック図は、本明細書で開示されている実施形態の説明を意図されるのみであり、本出願の範囲を限定することは意図されないことが理解されるべきである。いくつかのデバイスは、いくつかの場合において追加され又は取り除かれ得る。
【０１７９】
当業者であれば、本出願はシステム、方法又はコンピュータプログラム製品として利用され得ることを理解するはずである。従って、本明細書で開示されている実施形態のうちの１又は複数は、ハードウェア、ソフトウェア又はソフトウェア及びハードウェアの何らかの組み合わせを使用して完全に実装され得る。
【０１８０】
図面によって提供されるフロー図及びブロック図は、本出願の１又は複数の実施形態によるシステム、方法及びコンピュータプログラム製品のいずれかに従って実装され得るアーキテクチャ、機能及び操作を具体化する。この点については、フロー図及びブロック図におけるブロックが、モジュール、プログラムセグメント又はコードの少なくとも一部を表し、それは、所与の論理機能を行うための１又は複数の実行可能なコマンドを含む。いくつかの代替的な実施形態において、ブロック図において特定される機能は、図で特定されるものとは異なるシーケンスに従って実行され得ることは明らかであるはずである。例えば、機能は、連続して示される２つのブロックによって実装され得、それらは、実際にはほぼ同時に又は時には逆のシーケンスで実行され得る。ブロック図及び／又はフロー図における各ブロック及びブロック図及び／又はフロー図におけるブロックの任意の組み合わせは、所与の機能を実行する、又はハードウェアで、若しくは特殊化されたハードウェアとコンピュータコマンドの組み合わせによって動作する特殊化されたシステムによって実装され得ることにも留意されるべきである。
【０１８１】
当業者には、本出願が、上記の例示的な実施形態の詳細に限定されず、本出願の意図及び原理から逸脱することなく特定の構成によって具体的に利用され得ることは明らかであるはずである。従って、本実施形態は、例示的かつ非制限的とみなされるべきである。本出願の範囲は、上記の説明によってではなく、添付の特許請求の範囲によって指定される。本出願は、特許請求の範囲の範囲内の要素及び均等物の全ての表現を含むことを目的としている。特許請求の範囲のための図面におけるいかなる記号も、関与する特許請求の範囲への限定として解釈されるべきではない。
【図１】
2018520406.tif 000003
【図２】
2018520406.tif 000004
【図３】
2018520406.tif 000005
【図４】
2018520406.tif 000006
【図５】
2018520406.tif 000007
【図６】
2018520406.tif 000008
【図７】
2018520406.tif 000009
【図８】
2018520406.tif 000010
【図９】
2018520406.tif 000011
【図１０】
2018520406.tif 000012
【図１１】
2018520406.tif 000013
【図１２】
2018520406.tif 000014
【図１３】
2018520406.tif 000015
【国際調査報告】
2018520406.tif 000016